(57)【要約】  本開示は、シェービングかみそりのユーザを支援するためのカメラを備えたかみそり付属品を提供し、このかみそり付属品は、シェービングかみそりに機械的に取り付けられるように構成されている。かみそり付属品には、ユーザのシェービング運動を追跡するセンサを提供することができる。本開示はまた、ユーザのシェービング運動を追跡するためのウェアラブルコンピュータデバイスのためのアプリケーションを提供する。かみそり付属品および／またはウェアラブルコンピュータは、モノのインターネット（ＩｏＴ）ゲートウェイを介してベンダープラットフォームに通信接続され、ユーザのシェービング体験を支援および最適化するためのフィードバックを提供することができる。【選択図】図３Ｂ
2021525115.tif 000002
【特許請求の範囲】
【請求項１】
かみそり付属品であって、
本体部を備え、前記本体部が、
シェービングプロセス中に画像を記録するように構成されたカメラと、
前記かみそり付属品をかみそりに機械的に取り付けるように構成された留め具と、を備え、
前記かみそり付属品が、前記カメラによって記録された前記画像の画像データを処理して、ユーザの皮膚表面およびユーザの体の輪郭のうちの少なくとも１つの少なくとも１つの身体的特徴を決定するように構成された制御ユニットに通信可能に接続される、かみそり付属品。
【請求項２】
前記カメラが前記画像を記録するときに、前記ユーザの皮膚表面および前記ユーザの体の輪郭のうちの前記少なくとも１つを照らすように構成された光源をさらに備える、請求項１に記載のかみそり付属品。
【請求項３】
前記ハンドルに巻き付き、前記かみそり付属品を固定するように構成された少なくとも２つの可撓性フラップをさらに含む、請求項１または２に記載のかみそり付属品。
【請求項４】
前記フラップが、機械的留め具を含む、請求項３に記載のかみそり付属品。
【請求項５】
通知ユニットをさらに含む、請求項１〜４のいずれか一項に記載のかみそり付属品。
【請求項６】
前記通知ユニットが、視覚的、触覚的および／または音による通知を生成するように構成されている、請求項５に記載のかみそり付属品。
【請求項７】
外部電源接続および／または外部データ接続のためのインターフェースとして構成されたインターフェースユニットをさらに含む、請求項１〜６のいずれか一項に記載のかみそり付属品。
【請求項８】
ワイヤレス通信用のトランシーバユニットをさらに含む、請求項１〜７のいずれか一項に記載のかみそり付属品。
【請求項９】
少なくともいくつかのデータ転送プロトコルが、ハイパーテキスト転送プロトコル（ＨＴＴＰ）、メッセージキューイングテレメトリトランスポート（ＭＱＴＴ）、および制約付きアプリケーションプロトコル（ＣｏＡＰ）を含む、請求項８に記載のかみそり付属品。
【請求項１０】
前記かみそり上の前記付属品のユーザの活動を検出するための１つ以上の活動センサを含む、請求項１〜９のいずれか一項に記載のかみそり付属品。
【請求項１１】
前記活動センサが、運動を検出するための１つ以上のタイプのセンサを含む、請求項１０に記載のかみそり付属品。
【請求項１２】
より多くのまたは前記活動センサのうちの１つが、加速度計、ジャイロスコープ、運動センサ、および／またはそれらの組み合わせを含む、請求項１１に記載のかみそり付属品。
【請求項１３】
前記活動センサのうちの１つ以上が、前記トランシーバユニットに動作可能に接続されている、請求項１０〜１２のいずれか一項に記載のかみそり付属品。
【請求項１４】
前記１つ以上の活動センサが、ユーザが前記かみそり付属品を用いた活動中であるかどうかを決定するように構成されている活動データを生成するように構成されている、請求項１０〜１３のいずれか一項に記載のかみそり付属品。
【請求項１５】
シェービングシステム用に構成されたウェアラブルコンピュータデバイスであって、
シェービング中のユーザのシェービング運動を追跡するための１つ以上のセンサであって、前記ウェアラブルコンピュータデバイスが、少なくとも１つのシェービング運動特性を決定するように構成された制御ユニットに通信可能に接続されている、１つ以上のセンサと、
前記少なくとも１つのシェービング運動特性に基づいてフィードバック情報を提供するのを助けるように構成されたフィードバック要素と、を備える、ウェアラブルコンピュータデバイス。
【発明の詳細な説明】
【技術分野】
【０００１】
関連出願の相互参照
本出願は、２０１８年６月８日に提出された「ＳＭＡＲＴ  ＳＨＡＶＩＮＧ  ＡＣＣＥＳＳＯＲＹ」と題された、米国仮特許出願第６２／６８２，２９２号の米国特許法第１１９条（ｅ）に基づく利益を主張し、これは参照により本明細書に組み込まれる。
【０００２】
本開示は、スマートシェービングシステムに関する。
【背景技術】
【０００３】
最適なシェービング結果を得るには、シェービングかみそりの選択をユーザの固有の身体的特徴（肌の輪郭、肌のタイプ、ほくろ、傷跡、埋没毛、成長、毛のタイプ、毛の太さなど）に合わせて調整することが役立つ。さらに、ユーザが上記したもののようなユーザ固有の身体的特徴を（例えば、目視検査またはカメラを使用して）判定すること、ならびに特定の肌表面領域が適切に剃られたかどうかを判定することは、しばしば困難である。したがって、とりわけ、（ｉ）ユーザの固有の身体的特徴を決定するのを支援できて、その決定がシェービングかみそりの選択をユーザの固有の身体的特徴に合わせて調整することを支援し、（ｉｉ）特定の肌表面領域が適切に剃られているかどうかを判定することを支援でき、（ｉｉｉ）ユーザのシェービング習慣を理解して最適化することを支援できる、システムが求められている。
【発明の概要】
【０００４】
本開示は、シェービングかみそりのユーザを支援するために、カメラまたは撮像デバイスを備えたスマートシェービングシステムかみそり付属品を提供する。一実施形態では、かみそり付属品は、光源を備えることができる。
【０００５】
本開示はまた、シェービングかみそりのユーザを支援するためのカメラを備えたスマートシェービングシステムかみそり付属品を提供し、かみそり付属品は、シェーバに取り付けられるように構成された取り付け可能なシェービング付属品である。
【０００６】
本開示は、シェービングかみそりのユーザを支援するためのスマートシェービングシステム用に構成されたウェアラブルコンピュータのためのアプリケーションを提供する。
【０００７】
本開示はまた、シェービングかみそりのユーザを支援するためのカメラを備えたスマートシェービングシステムかみそり付属品を提供し、カメラは、かみそりのユーザが特定の肌表面領域が適切に剃られたかどうかを決定するのを支援する。
【０００８】
本開示は、シェービングかみそりのユーザを支援するためのスマートシェービングシステム用に構成されたウェアラブルコンピュータのアプリケーションを提供し、かみそりのユーザが特定の肌表面領域が適切に剃られたかどうかを判定するのを支援する。
【０００９】
本開示は、スマートシェービングシステム用に構成されたウェアラブルコンピュータのためのアプリケーションを提供し、ウェアラブルコンピュータは、スタンドアロンのモノのインターネット（ＩｏＴ）デバイスとして構成されたハードウェア／ソフトウェアを有する含む。
【００１０】
本開示は、カメラを備えたスマートシェービングシステムのかみそり付属品を提供し、そのアタッチメントは、モノのインターネット（ＩｏＴ）ゲートウェイを介してベンダープラットフォームに通信可能に接続されている。
【００１１】
本開示は、スマートシェービングシステム用に構成されたウェアラブルコンピュータのアプリケーションを提供し、そのアタッチメントは、モノのインターネット（ＩｏＴ）ゲートウェイを介してベンダープラットフォームに通信可能に接続されている。
【００１２】
本開示はまた、カメラを備えたスマートシェービングシステムのかみそり付属品を提供し、そのアタッチメントは、モノインターネット（ＩｏＴ）ゲートウェイを介してシェービングかみそりおよび／またはベンダープラットフォームに通信可能に接続されて、（ｉ）ユーザが、特定の肌表面領域が適切に剃られたかどうかを判定することを支援し、および／または（ｉｉ）特定のユーザの身体的特徴（例えば、肌および／または毛）に適したシェービングカートリッジおよび／またはかみそりのタイプに関してユーザを支援する。
【００１３】
本開示は、スマートシェービングシステム用に構成されたウェアラブルコンピュータのアプリケーションを提供し、ウェアラブルコンピュータは、モノのインターネット（ＩｏＴ）ゲートウェイを介してベンダープラットフォームに通信可能に接続されて、（ｉ）少なくとも１つの運動特性に適したシェービングカートリッジ、（ｉｉ）少なくとも１つの運動特性に適したシェービングかみそり、および（ｉｉｉ）最適なシェービング通知を決定する際にユーザを支援する。
【００１４】
本開示はまた、ウェアラブルコンピュータデバイスおよび／またはかみそり付属品カメラを備えたスマートシェービングシステムを提供し、かみそり付属品、ウェアラブルコンピュータデバイス、ユーザデバイス上のアプリケーション、ベンダープラットフォーム、および／または他のリンクされたデバイスは、特定のユーザの身体的特徴（例えば、毛と肌のタイプ）、過去のシェービングカートリッジ情報、および／またはシェービング習慣にアクセスおよび／または累積的に収集、保存、および／または分析して、特定のユーザの身体的特徴（例えば、肌および／または毛）、過去のシェービングカートリッジ情報およびシェービング習慣に適したシェービングカートリッジおよび／またはかみそりのタイプに関して特定のユーザを支援することができる。
【図面の簡単な説明】
【００１５】
【図１】ハンドルを有するかみそりの一例の斜視図である。
【図２】複数の異なる形状のかみそりの例を示す。
【図３Ａ】かみそり付属品の例示的な実施形態の斜視図を示す。
【図３Ｂ】例示的なかみそり付属品およびかみそりの正面図および側面図を示す。
【図３Ｃ】かみそり付属品およびシェーバハンドルの例示的な実施形態の平面図を示す。
【図４】本開示の一実施形態による、かみそり付属品の様々な電気／電子部品および外部通信インフラストラクチャを示す概略図である。
【図５Ａ】ウェアラブルコンピュータデバイスの正面図である。
【図５Ｂ】本開示の一実施形態による、ウェアラブルコンピュータの様々な電気／電子部品および外部通信インフラを示す概略図である。
【図６】例示的な実施形態による方法のフローチャートである。
【図７】例示的な実施形態による方法の論理フローチャートである。
【図８】別の例示的な実施形態による方法の論理フローチャートである。
【図９】さらに別の例示的な実施形態による方法の論理フローチャートである。
【図１０】本明細書の例示的な実施形態によるコンピュータ可読記憶媒体である。
【図１１】例示的な通信デバイスの実施形態である。
【図１２】本開示のシステム概略図の例示的な実施形態である。
【図１３】本開示の例示的な方法のフローチャートである。
【図１４】本開示の例示的な方法のフローチャートである。
【００１６】
複数の図面に共通する構成要素または機能は、各図面で同じ参照番号で示される。
【発明を実施するための形態】
【００１７】
図面を参照し、特に図１を参照すると、ハンドル９と複数の刃を含むカートリッジ５とを有する例示的なかみそり１が示されている。この例示的な実施形態では、潤滑剤、化粧品および／または他の材料を選択的に生成するように設計された「スマート」ポリマー５をカートリッジ上に提供することができる。「スマート」ポリマーは、少なくとも１つの環境刺激にさらされたときに特定の方法で応答するように設計された人工材料である。環境刺激としては、温度、ｐＨ、湿度／湿度、酸化還元、重量、電気刺激、化学的刺激、光（波長および／または強度）、電界／磁界、および／または電気化学的刺激を挙げることができる。
【００１８】
理解されるように、図２に示されるように、かみそり１およびかみそりハンドル９は、多くの形状をとることができ、そのうちのいくつかが示されている。シェーバおよびかみそりには、使いやすく低コストの使い捨てシェーバが含まれる。使い捨てシェーバは、コストが低くものの、それでもそのコストに匹敵するパフォーマンスを提供するはずである。他の場合としては、ユーザが、彼らが使用していて交換したくない特定のかみそり、例えば、ハイエンドまたは特別に細工されたかみそりハンドル９を備えたシェーバを持っている場合がある。
【００１９】
本明細書では、任意のシェーバに取り付けたり取り外したりすることができ、とりわけスマートフォンアプリケーションまたは他のユーザデバイスアプリケーションを含むスマートシェーバシステムと連動して収集データを分析し、ユーザにフィードバックを提供することができるかみそりアタッチメントの実施形態が説明される。本明細書では、収集データを分析し、ユーザにフィードバックを提供し、および／またはスマートフォンアプリケーションまたは他のユーザデバイスアプリケーションと対になって同じことを行うためのアプリケーションを含むことができるウェアラブルコンピュータデバイスの実施形態も説明される。
【００２０】
図３Ａ〜４に示されるように、本明細書では、スマートシェービングシステムのためのかみそり付属品１０の実施形態が説明される。かみそり付属品１０は、任意のかみそりに取り付けられるように構成されている。図３Ａ〜３Ｃは、かみそり付属品１０の例を示している。かみそり付属品１０は、ストローク、速度、肌状態、および毛の方向を測定するように構成されたカメラ１５などの撮像デバイスを含む。撮像デバイスは、１つ以上のカメラまたはカメラタイプ、例えば、ＨＤカメラ、２Ｄカメラ、３Ｄカメラなどから選択されるカメラ１５を含むことができる。理解されるように、１つ以上の実施形態では、かみそり付属品は、とりわけ、当技術分野で知られているモバイルユーザデバイス（例えば、スマートフォン／タブレットカメラ）で使用される任意のカメラまたは他の撮像デバイスを装備することができる。
【００２１】
かみそり付属品１０はまた、光源１４、例えば、１つ以上のＬＥＤ光を含むことができる。光源１４は、カメラ１５が撮像している表面を照らすように配置されている。一実施形態では、光源１４は、付属品が使用されているときにオンになるように構成することができる。例えば、一実施形態では、光源１４は、かみそりが使用されているときに、暗い環境でオンになるように構成することができる。
【００２２】
一実施形態では、光源１４は、異なる色を放出するように構成することができる。例えば、複数のＬＥＤが異なる色の照明を放出するように構成することができる。ＬＥＤは典型的には１つの色を発するので、付属品の光源１４は、複数の色から特定の色を選択するために複数のＬＥＤから構成することができる。一実施形態では、その選択は、例えば、ユーザデバイス４０のアプリケーション１１１において行うことができる。色の選択は、剃られている領域をよりよく見ることができるというユーザの要望を最もよく満たすためのオプションとして役立つ。例えば、特定の肌色素は、白色光を最もよく反射してコントラストを付けるが、他の色素は、青または緑のバリエーションで最もよく機能する。
【００２３】
一実施形態では、かみそり付属品は、剃毛中に光源１４を使用してフィードバックを提供するように構成することができる。例えば、光源１４が異なる色で照明するように構成されている場合、かみそり付属品１０は、光源１４が正および負のフィードバックのために異なる色の光を生成するように構成することができる。例えば、正のフィードバック、例えば、ユーザが最適な速度で剃っていること、または剃っているターゲット領域に毛がないこと、のために安定した緑色光を使用できる。かみそり付属品は、負のフィードバック、例えば、シェービングストロークが速すぎてより遅くする必要があること、ターゲット領域ですべての毛が剃られていないこと、または適用されたシェービング角度が正しくないこと、のために光源が赤または点滅赤の光を生成するように構成することもできる。明るい色を使用して、かみそり付属品１０の異なる機能を知らせることもできる。例えば、かみそり付属品１０が速度を測定していることを示す緑色光、またはかみそり付属品１０が圧力を測定していることを示す青色光により、ユーザは、どのタイプの情報がかみそり付属品１０によって収集されているかを知ることができる。理解されるように、光源４０は、色以外の、または色に加えて、例えば、点滅および閃光、強度、光パターンなどの技術を使用してフィードバックを提供するように構成することができる。
【００２４】
かみそり付属品１０は、シェーバハンドル９に取り付けたり、シェーバハンドル９から取り外したりすることができる。図３Ａ〜４に示されるように、かみそり付属品１０は、ハンドル位置９に取り付けられるように構成される。一実施形態では、かみそり付属品１０は、２つの可撓性フラップ１２ａ、１２ｂを含み、これらは、ハンドル９に巻き付けられ、フラップ１２ａ、１２ｂがハンドル９に巻き付けられるように機械的に取り付けるように構成される。かみそり付属品１０フラップ１２ａ、１２ｂは、ハンドル９の後ろに取り付けるための機械的留め具を含む。例示的な留め具には、例えば、磁石、フックアンドループ留め具、スナップ、または他の留め具を含むことができる。代替の実施形態では、フラップ１２ａ、１２ｂは、所定の位置に曲げられたときにその形状を保持する変形可能なエラストマーまたは金属材料を含むことができる。一実施形態では、かみそり付属品は、高摩擦熱可塑性エラストマー（ＴＰＥ）を含み、摩擦係数はまた、かみそり付属品１０がかみそりハンドル２に固定されたときにかみそり付属品１０をその位置に保持する。
【００２５】
かみそり付属品１０は、本明細書で説明するように、例えばＢｌｕｅｔｏｏｔｈ（商標）トランシーバ１７を介して、スマートフォン、パーソナルコンピュータデバイス、または他のユーザデバイス４０と同期するように構成される。一実施形態では、インジケータ１１は、信号ペアリングのために構成することができる。本明細書でも説明するように、かみそり付属品１０は、入力／出力ポート１６、例えば、ＵＳＢポートを含むことができ、ここで、かみそり付属品１０は、再充電および更新のために接続することができる。かみそり付属品１０がペアリングされると、シェーバアプリケーションをユーザデバイス４０に提供することができる。一実施形態では、アプリケーションは、シェービングデータを受信するように構成され、アプリケーションソフトウェアは、人工知能（ＡＩ）ソフトウェアで構成されるか、または本明細書で説明されているようにシェービングデータを分析してリアルタイムフィードバックを提供することができる別のスマートシェービングシステムデバイスＡＩに動作可能に接続される。
【００２６】
図４は、（ｉ）外部通信インフラストラクチャ２００（図４の右側に示されている）の電子部品を有するかみそり付属品１０（図４の左側に示されている）の電気および／または電子部品、および本開示の一実施形態による、かみそり付属品１０と外部通信インフラストラクチャ２００との間の様々な接続および通信経路の様々な例を示す。
【００２７】
図４に示されるかみそり付属品１０は、電気的および／または通信的に接続される以下の例示的な部品を含む：カメラ１５、視覚的（例えば、光）、触覚的および／または音による通知を生成するように構成することができる通知ユニット１１、コントローラ、処理ユニットおよび／またはメモリを含むように構成することができる制御ユニット１６、ローカル電源１３（例えば、バッテリ）、外部電源接続および／または外部データ接続のためのインターフェースとして構成することができるインターフェースユニット２１、ワイヤレス通信用のトランシーバユニット１７、およびアンテナ１８。ユニット１１および１６に関連して使用できる通信技術として、セルラー、衛星、ＷｉＦｉ、Ｂｌｕｅｔｏｏｔｈ、低電力広域ネットワーク（ＬＰＷＡＮ）、またはイーサネット経由でインターネットに直接接続するものが挙げられる。利用できるデータ転送プロトコルとしては、ハイパーテキスト転送プロトコル（ＨＴＴＰ）、メッセージキューイングテレメトリトランスポート（ＭＱＴＴ）、制約付きアプリケーションプロトコル（ＣｏＡＰ）などが挙げられるが、これらの例に限定されない。
【００２８】
一実施形態では、かみそり付属品はまた、かみそり上の付属品のユーザの活動を検出するための１つ以上の活動センサ２０を含むことができる。活動センサ２０には、加速度計、ジャイロスコープ、運動センサ、または他のセンサ（複数可）、および／またはそれらの組み合わせなどの、運動を検出するための１つ以上のタイプのセンサを含めることができ、これらはすべてトランシーバ１７およびコントローラ１６に動作可能に接続することができる。示されていないが、他のセンサ（複数可）は、受動赤外線センサ、超音波センサ、マイクロ波センサ、断層撮影運動検出器、光センサ、タイマーなどのいずれかを含むことができる。
【００２９】
例えば、加速度計、方向センサ、およびジャイロスコープは、かみそり１およびかみそり付属品１０のユーザが活動中であるか、剃毛していないか、または特定のジェスチャを実行しているかを判定するために使用できる活動データをさらに生成できる。例えば、センサデータを使用して、シェービングシステムがシェービングストローク、非シェービングバックストローク、ストローク圧力、ストローク速度、刃すすぎ時間、ストローク数、シェービングゾーンごとのストローク数などを決定できるようにすることができる。
【００３０】
いくつかの実施形態では、センサ２０の運動またはカメラ１５の動作を使用して、かみそり付属品が使用されていることを制御ユニット１６に示すことができる。したがって、カメラ１５またはセンサ２０は、かみそり付属品１０の他の電子システムを「目覚めさせる」ためのスイッチとして使用することができる。センサ２０またはカメラをスイッチとして使用することにより、かみそり付属品の電子システムが、例えば、シェービングセッション中など、必要な場合にのみ使用されることを保証することにより、エネルギーを節約することができる。
【００３１】
かみそり付属品１０は、例えば、ユーザの身体活動の持続時間（例えば、シェービング時間、刃洗浄／すすぎ時間）または非活動、活動が検出されたまたは検出されなかった日の時間（複数可）等などの検出された身体活動の様々な属性に時間次元を追加するのに使用することができるタイマーを任意選択で含むことができる。
【００３２】
１つ以上の活動センサ２０は、かみそり付属品１０の本体において付属品の外側（例えば、デバイス本体の上面または下面の近く）に埋め込むことができ、または他の任意の望ましい位置に配置することができる。いくつかの例では、異なる活動センサ２０は、かみそり付属品２０の内部または表面上の異なる場所に配置することができ、例えば、いくつかは身体の内側に配置され、いくつかはバンド１２ａ、１２ｂの上面または下面などに配置される。
【００３３】
制御ユニット１６はまた、（ｉ）カメラ１５から出力された情報を受信および処理し、および／または（ｉｉ）視覚情報をキャプチャおよび／または出力するようにカメラ１５を制御することができる。例示的な実施形態では、カメラ１５は、カメラ１５の記録機能がアクティブ化されたときに、画像（例えば、ユーザの肌表面の画像）をキャプチャすることができる。この場合、図４に示されるように、カメラ１５によってキャプチャされた情報は、制御ユニット１６によって処理することができ、および／または、例えば、ユーザデバイス４０、例えば、モバイルデバイス４０の表示要素を介して、表示のために提示することができる。
【００３４】
制御ユニット１６は、シェービング活動に関する情報を累積的に収集および／または保存して、個人のシェービングの習慣、使用、および有効性を分析および／または決定することができる。さらに、制御ユニット１６は、（ｉ）ユーザの特定の肌タイプおよび／または毛特性に関してカメラ１５によってキャプチャされた情報と、および／または（ｉｉ）ユーザによって提供されたデータまたは特定の肌のタイプおよび／または毛の特性に関するデータベースからのデータと併せてシェービング活動を分析することができる。これにより、個々のユーザの身体的特徴および／またはかみそりの使用に関するカスタマイズされた分析およびデータ収集が可能になる。ユーザのデータをシェービングデータのデータベースと組み合わせて、例えばスマートシェービングシステムによって収集および処理されたデータと組み合わせて、さらにカスタマイズされた分析を可能にすることができる。ユーザのデータを収集し、ユーザのシェービングプロファイルデータと組み合わせて、例えば、２０１８年５月２１日に提出され、「３Ｄ  ＳＭＡＲＴ  ＳＨＡＶＩＮＧ  ＳＹＳＴＥＭ  ＷＩＴＨ  Ａ  ３Ｄ  ＣＡＭＥＲＡ」と題された米国仮特許出願第６２／６７４，０９９号、および２０１８年５月２１日に提出され、「ＳＹＳＴＥＭ  ＡＮＤ  ＭＥＴＨＯＤ  ＦＯＲ  ＰＲＯＶＩＤＩＮＧ  Ａ  ＶＯＩＣＥ−ＡＣＴＩＶＡＴＥＤ  ＯＲＤＥＲＩＮＧ  ＯＦ  ＲＥＰＬＡＣＥＭＥＮＴ  ＳＨＡＶＩＮＧ  ＣＡＲＴＲＩＤＧＥ」と題された米国仮特許出願第６２／６７４，１０５号（それぞれの全体は参照により本明細書に組み込まれる）で説明されているように、スマートシェービングシステムからの日付と組み合わせて、さらにカスタマイズされた分析を可能にすることができる。シェービング活動、特定の肌タイプおよび／または毛特性、および／またはカメラ１５によってキャプチャされた情報に関するデータは、かみそり、クラウドデータベース、または外部デバイス（例えば、ＩｏＴ接続デバイス）に（部分的にまたは全体的に）格納することができる。
【００３５】
実施形態では、かみそり付属品１０によって検出されたデータは、例えばカメラ１５を使用して、シェービングセッションの前および／または中に撮影されたユーザの画像と併せて分析することができる。データは、剃られるべきユーザの体の領域、例えば顔の画像および／またはマッピングと併せて分析することができる。例えば、シェービングが行われる前に、ユーザは、自分のスマートフォンまたはコンピュータユーザデバイス４０にアプリケーションをダウンロードすることができる。ユーザがシェービングを開始すると、かみそり付属品またはユーザデバイス４０上のアプリケーションは、シェービング中にカメラをアクティブ化して写真撮影またはビデオの撮影を開始するようにユーザに促すことができる。ユーザが剃毛するとき、カメラ１５は、カメラが身体領域に対して異なる角度で動かされるとき、またはユーザがカメラに対して身体領域を動かすときに、写真またはビデオを撮る。
【００３６】
別の例として、一実施形態では、本明細書で説明するように、かみそり付属品１０は、１つ以上のプロセッサ１６を含むことができるか、そうでなければ１つ以上のプロセッサ１６に結合することができる。センサ２０およびカメラ１５によってキャプチャされたデータは、メモリに格納し、プロセッサ（複数可）１６によって分析することができる。いくつかの実施形態では、かみそり付属品１０上のカメラ１５またはセンサ２０からのデータは、別個のユーザデバイス、スマートフォン４０、またはコンピュータに送信することができる。例示的な実施形態では、カメラ１５またはセンサ２０からのデータは、受信データを分析して、ユーザのシェービング技術、ユーザによって取られた多数のシェービングストローク（またはシェービングストローク中のかみそり１が移動した距離またはかみそり１の速度）に関する情報、および／またはユーザがシェービングのパフォーマンスおよび快適さを最適化するために１つ以上の特殊なアイテムの恩恵を受けるかどうかをユーザに提供するように構成されたソフトウェアを備えたユーザデバイス４０に送信することができる。プロセッサおよび／またはメモリは、シェービングシステムの任意の構成要素、例えば、かみそり付属品１０自体、スマートフォンなどのユーザデバイス４０、またはコンピュータ上に配置することができ、またはシェービングシステムの構成要素は、格納されたまたは検出された任意のデータを本明細書で説明されるように分析のためにプロセッサ１６および／または外部ネットワーク２００に送信することができる。
【００３７】
上記のように、システムは、かみそり付属品１０のカメラ１５またはセンサ２０から経時的に受信された入力に基づいて、かみそり１の使用法を決定するように構成することができる。例えば、プロセッサ１６は、かみそり付属品１０が移動した全体の距離、および／またはかみそり付属品１０が使用された多数のシェービングストロークを追跡するように構成することができる。例えば、プロセッサ１６が、かみそり付属品１０が使用閾値ベースの距離測定値を超えたと判定した場合、または行われたシェービングストロークの計算された数に基づいて、プロセッサ１６は、本明細書で説明されるようにアラートを生成することができる。
【００３８】
センサ２０またはカメラ１５のそれぞれから受信した追跡データの違いを、ユーザが行ったシェービングストロークを分析するためにプロセッサ１６が使用することができる。例えば、シェービングストロークの過程で、かみそり付属品１０に配置されたカメラ１５またはセンサ２０によって測定された様々な運動が、プロセッサ１６によって使用されて、ユーザがシェービング中のかみそり１の前縁、後縁、または両側のうちの１つ以上に過度の力を加えていることを判定することができる。力の不均一な適用は、切り口、肌の炎症、および／または過度のシェービングストロークを引き起こす可能性がある。同様に、カメラ１５またはセンサ２０は、ユーザのシェービングストロークが左右の運動の成分を含むことを検出することができる（例えば、かみそり１の１つ以上の刃に平行な方向への運動）。そのような左右の運動、または左右の運動の成分を含むシェービングストロークは、ユーザの肌の切り口および／または切り傷をもたらす可能性がある。したがって、そのような場合、プロセッサ１６は、かみそり付属品１０またはユーザデバイス４０を介してユーザに通知または他のフィードバックを提供して、シェービングストロークを調整するか、さもなければかみそり１の運動方向を変更するように構成することができる。したがって、かみそり付属品１０は、本明細書に説明された様々なフィードバックメカニズムを介して、そのような異常についてユーザに警告することができる。例えば、プロセッサ１６が、カメラ１５またはセンサ２０の位置からのビデオ画像が、かみそり付属品１０の一方側での距離の方がかみそり付属品１０の反対側で測定されたものよりも長いことを記録することを示す場合、プロセッサ１６は、前縁または後縁に向かうユーザのシェービングストロークの偏りをユーザに通知するように構成することができる。したがって、プロセッサ１６は、様々なセンサ２０のアクティブ化履歴またはカメラ１５の画像を評価して、所与のユーザのシェービング技術で観察された肌／かみそりの接触挙動を判定することができる。
【００３９】
システムは、かみそり付属品のカメラ１５またはセンサ２０からのデータを分析して、シェービングストロークの効率、またはユーザのシェービング技術の効率を決定するように構成することができる。例えば、プロセッサ１６は、センサ２０からの追跡データまたはカメラ１５からの画像データを分析して、ユーザがシェービングストローク中に効率的な経路（曲がり過ぎるか直線過ぎるか）をとっているかそれ以外の最適な経路をとっているかどうか、シェービングストロークが長すぎるか短すぎるか、および／またはストロークのテンポが適切かどうか、を判定することができる。したがって、プロセッサ１６は、ユーザが自分のシェービングストロークに望ましくない一時停止を取り入れているかどうか、および／またはシェービングストロークが速すぎるか遅すぎるかを判定することができる。プロセッサ１６はまた、力の測定に基づいて、ユーザがストロークの任意の部分に加えている力が多すぎるか少なすぎるかを判定することができる。
【００４０】
様々なメカニズムを使用して、本明細書で説明されているような次に最適なシェービング技術をユーザに通知することができる。例えば、ユーザは、シェービングを開始する前に、コンピュータまたはスマートフォン４０上でアプリケーションを開くことができる。ユーザがシェービングすると、シェービングセッションに関する情報が生成および分析され、分析結果がアプリケーションを介してユーザに表示することができる。例えば、顔の写真をアプリケーションに表示し、顔の領域をさらに剃る必要がある、または十分に剃ったことをユーザに示すことができる。チャート、テキスト、色、光、写真、またはその他の適切な視覚補助は、ユーザが剃る必要がある場所と剃る必要がない場所、特定の領域で残っている、または達成されたシェービングの割合、または、例えば、ユーザが速すぎる、遅すぎるシェービングストロークを使用しているかどうか、シェービングストローク中に使用している力が多すぎるか少なすぎるか、シェービングストローク中にユーザが次に最適な経路を使用しているかどうか、および／またはユーザのシェービングストロークのテンポが改善できるかどうかといった他の適切なフィードバックを示すことができる。いくつかの実施形態では、アプリケーションは、視覚的フィードバックの代わりに、またはそれに加えて、聴覚的または触覚的フィードバックを提供することができる。例えば、振動や音が、体のある領域が適切に剃られていることを示している可能性がある。いくつかの実施形態では、音声で、ユーザの顔のどの部分がひりひりしているのかについてユーザに指示することができる。
【００４１】
いくつかの実施形態では、光、ノイズ、振動、および／または他の視覚的、触覚的、または聴覚的フィードバックを別個のデバイスで提供することができる。例えば、かみそり１の１つ以上の刃が鈍すぎる場合、またはユーザが不十分な技術を使用している場合にライトが点灯したり、ライトが緑から赤に変わって同じ情報を示したりすることができる。または、ユーザデバイス４０の画面で、アプリケーションに関して上記と同様の視覚的インジケータを表示することができ、または振動または音を、上述のように別個のデバイスによって生成することができる。
【００４２】
このようにして、かみそり付属品１０は、シェービング技術およびかみそり１またはかみそりカートリッジの残りの耐用年数に関するリアルタイムのフィードバックをユーザに提供するように構成することができる。このガイダンスおよびフィードバックは、シェービングセッションをガイドして、ユーザのシェービングエクスペリエンスを向上させ、使用済みのシェービング機器を交換するのに役立つ。
【００４３】
一実施形態では、所与の身体領域におけるシェービングの適切性を判定することは、かみそり付属品１０によって検出されない情報、例えば、ユーザが有する毛のタイプ、ユーザの所望の剃毛レベル（例えば、ユーザが無精ひげを残したいかどうか、きれいに剃毛をしたいかどうか、または特定の領域に毛を残したいかどうか）を考慮することもできる。その他の情報としては、塗布したクリームまたはジェルのタイプ、ユーザのシェービング履歴、ユーザの体の形、ユーザの体の毛の密度、刃の使用履歴（例えば、刃の鋭さや新品の程度、タイプ、使い捨てかみそりまたはカートリッジの刃の数）、使用するかみそり１のタイプ、ユーザの肌のタイプ（例えば、普通、乾燥、または敏感）、ユーザの年齢（例えば、ユーザの肌の感度または毛の質）、もしくはその他の適切な情報、または情報の組み合わせが挙げられる。この情報の一部またはすべては、以下でさらに説明するように、ユーザによって入力され、かみそり付属品１０のカメラ１５またはセンサ２０からのデータとともに評価することができる。
【００４４】
本明細書で説明されるように、カメラ１５または様々なセンサ２０および本明細書に説明されるカメラによって収集されたデータは、本明細書に説明されるさらなる研究および分析のためにＩｏｔＴプラットフォーム２２２およびベンダープラットフォーム２２３に送信することができる。
【００４５】
制御ユニット１６から出力された情報および／またはカメラ１５によってキャプチャされた情報は、（ｉ）トランシーバ１７を介して無線で、および／または（ｉｉ）外部電源／データ接続用のインターフェースユニット２１を経由して有線接続を介して、かみそり付属品からＩｏＴゲートウェイ３０に送信することができる。さらに、トランシーバ１７は、無線で接続することができ、および／またはインターフェース２１は、有線接続を介してユーザデバイス４０（例えば、携帯電話またはタブレット）に接続することができる。
【００４６】
図４に示される例示的な実施形態では、かみそり付属品１０の回路は、それ自体がインターネットプロトコル（ＩＰ）対応であるユニットとして構成することができ、かみそりアクセサ１０との間の情報フローは、例えば、ＩｏＴゲートウェイ２２０として機能するＷｉＦｉルータを経由してルーティングすることができる。あるいは、かみそり付属品１０の回路は、それ自体がインターネットプロトコル（ＩＰ）に対応していないユニットとして構成することができ、その場合、ＩｏＴゲートウェイおよび／またはそれに接続されたユーザデバイス４０は、インターネット／クラウドを介してインターフェースを提供して、例えば、プロトコルの解読、暗号化、処理、データ管理等を行うように構成することができる。その他の通信技術としては、セルラー、衛星、Ｂｌｕｅｔｏｏｔｈ、低電力広域ネットワーク（ＬＰＷＡＮ）、またはイーサネット経由でインターネットに直接接続することが挙げられるが、これらの例は限定するものではない。情報は、クラウドネットワーク２１およびＩｏＴプラットフォーム２２２を介して、ＩｏＴゲートウェイ６０２０からベンダープラットフォーム２２３にルーティングすることができる。ＩｏＴプラットフォーム２２２は、図４のクラウドネットワーク２２１とは別に示されているが、クラウドネットワーク２２１は、ＩｏＴプラットフォーム２２２を包含することができる。本開示で使用される場合、「クラウドネットワーク」という用語は、インターネットおよび関連する接続インフラストラクチャを包含する。
【００４７】
例示的な実施形態では、ユーザデータ（例えば、ユーザの毛の太さ、肌のタイプ、肌の輪郭、顔の輪郭に関するデータおよび／または情報、および／またはかみそり付属品１０が適用された肌表面領域に関するかみそり付属品１０のカメラ１５によってキャプチャされた画像情報）は、コントローラ１６、モバイルデバイス４０、ベンダープラットフォーム２２３、および／またはＩｏＴプラットフォーム２２２に（部分的または全体的に）格納することができる。一例では、ベンダープラットフォーム２２３は、（ｉ）例えば、最適なかみそりモデル、かみそりの使用法、および／またはかみそりカートリッジモデルに関する提案を提供し、および／または（ｉｉ）かみそり付属品１０および／またはモバイルデバイス４０に、個々のユーザのかみそりの使用（視覚、音声、および／またはデータ）、肌のタイプ、毛の特徴、履歴から好まれているかみそりカートリッジ、および／または数量パッケージ等（これらの情報はかみそり付属品１０および／またはモバイルデバイス４０によって出力することができる）に関する情報（例えば、カメラによって撮像されたおよび／またはスキャンされた肌表面領域が適切に剃られているかどうか）を送信することができる。
【００４８】
例えば、システムは、かみそり付属品１０の通知ユニット１１またはモバイルユニット４０に、ユーザが剃毛された身体部分のすべてのゾーン（例えば、顔、脚、腋毛）を剃ったという通知を提供するように構成することができ、シェービングを中止することができる。かみそり付属品１０は、ユーザが表面領域またはゾーンを剃り続け必要がある、またはユーザが異なるストローク技術、例えば、より長いストロークまたはより低い圧力を使用する必要があるという通知を通知ユニット１１に提供するように構成することができる。別の例として、システムは、ユーザがユーザデバイス４０および／またはユーザの通信チャネル（例えば、電子メール、テキスト）に対して最適なシェービング製品を識別するためのレポートを生成するように構成することができる。
【００４９】
図４はまた、本開示の別の実施形態による、かみそり付属品１０と外部通信インフラストラクチャ２２０との間の様々な接続および通信経路を示している。図４に示される実施形態では、ユーザデバイス４０は、（ｉ）トランシーバ１７に無線で通信接続し、および／または（ｉｉ）インターフェースユニット２１にハードワイヤ接続を介して通信接続することができる。かみそり付属品のカメラ１５は、かみそり１に機械的に結合され、それにより、かみそり付属品１０が使用されている間、シェービング表面に関する監視およびフィードバックを可能にする。図４に示される例示的な実施形態の１つの通信経路では、制御ユニット１６、センサ（複数可）２０、カメラ１５から出力される情報、および／またはユーザの身体的特徴に関する情報（例えば、ユーザの毛の太さ、肌のタイプ、肌の輪郭、顔の輪郭に関するデータおよび／または情報、および／またはユーザの肌表面領域に関してカメラ１５によってキャプチャされた画像情報）を、かみそり付属品１０からユーザデバイス４０に送信することができる（例えば、ユーザがバスルーム内でかみそり１を使用している間に）。モバイルデバイス４０は、クライアント（複数可）（例えば、１つ以上のソフトウェアアプリケーションのソフトウェアまたは「アプリ」）を備え、図４に示されるかみそり１の回路部品によって実行される機能、例えば、インターネットを介した情報の送信、データ分析、および／または取得した情報の保存、のいくつかまたはすべてを実行することができる。ユーザデバイス４０によって受信された情報は、ＩｏＴゲートウェイ２２０、例えば、ＷｉＦｉルータにルーティングして、その後、クラウドネットワーク２２１およびＩｏＴプラットフォーム２２２を介してカートリッジベンダープラットフォーム２２３にルーティングすることができる。モバイルデバイス２４０からルーティングされた情報に基づいて、ベンダープラットフォーム２２３および／またはＩｏＴプラットフォーム２２２は、適切なフィードバック情報、例えば、ユーザにとって最適なかみそりモデル、ユーザにとって最適なかみそりカートリッジモデル、および／またはカメラ１５によって撮像されたユーザの肌表面領域が適切に剃られたどうかに関する情報（視覚的、音声的および／またはデータ）を提供することができる。ＩｏＴプラットフォーム２２２は、図４のクラウドネットワーク２２１とは別に示されているが、クラウドネットワーク２２１は、ＩｏＴプラットフォーム２２２を包含することができる。他の通信技術としては、セルラー、衛星、Ｂｌｕｅｔｏｏｔｈ、低電力ワイドエリアネットワーク（ＬＰＷＡＮ）、またはイーサネット経由でインターネットに直接接続することが含まれるが、これらの例に限定されない。利用できるデータ転送プロトコルとしては、ハイパーテキスト転送プロトコル（ＨＴＴＰ）、メッセージキューイングテレメトリトランスポート（ＭＱＴＴ）、制約付きアプリケーションプロトコル（ＣｏＡＰ）などが挙げられるが、これらの例に限定されない。
【００５０】
図４に示される例示的なシステムでは、情報および／または情報の処理は、かみそり付属品１０、ユーザデバイス４０、ＩｏＴゲートウェイ２２０、クラウドネットワーク２０２１、ＩｏＴプラットフォーム６０２２、および／またはベンダープラットフォーム２２３のうちの２つ以上の間で共有することができる。例えば、（情報源に関係なく）情報の処理は、制御ユニット１６、ユーザデバイス４０、クラウドネットワーク２２１、ＩｏＴプラットフォーム２２２、および／またはベンダープラットフォーム２２３で実行することができる。さらに、情報（例えば、音声、視覚、および／またはデータ）の入力／出力は、かみそり付属品、かみそり付属品１０（図示せず）上もしくは中に任意選択で提供される双方向マイクロフォン／スピーカー、および／またはユーザデバイス４０を介して実施することができる。
【００５１】
図４に示される例示的なシステムにおける分散機能の例として、カメラ１５によってキャプチャされた（例えば、ユーザの肌表面の）画像情報を、ユーザデバイス４０（例えば、表示用）に、および／またはカートリッジベンダープラットフォーム２２３（例えば、分析用）に送信することができる。さらに、電気センサ２０からのセンサデータは、モバイルデバイス４０に送信することができ（例えば、ユーザがかみそり付属品１０を使用している間）、ユーザの音声コマンドおよび／またはクエリは、かみそり付属品１０上もしくは中に任意選択で提供される双方向マイクロフォン／スピーカー、またはユーザデバイス４０のマイクロフォン／スピーカーを介して入力することができる。さらに、ベンダープラットフォーム２２３からの応答送信に含まれる情報は、かみそり付属品１０のマイクロフォン／スピーカー（例えば、音声用）を介して、ユーザデバイス４０（例えば、音声、視覚、および／またはテキストデータ用）を介して、および／またはユーザデバイス４０の表示画面（例えば、視覚および／またはテキストデータ用）を介して、出力することができる。
【００５２】
別の実施形態では、図５Ａ〜５Ｂは、ウェアラブルコンピュータデバイス１１０を示している。ウェアラブルコンピュータデバイス１１０の例では、ウェアラブルコンピュータデバイス１１０は、腕時計のように手首に装着されるように構成される。ウェアラブルコンピュータデバイス１１０は、ユーザの生体認証および活動データを取得および追跡するように構成することができる。ウェアラブルコンピュータデバイスの例として、Ａｐｐｌｅ  Ｗａｔｃｈ  １．０、２．０、Ｆｉｔｂｉｔウェアラブルトラッキングデバイス（例えば：Ｆｌｅｘ  ２、Ａｌｔａ  ＨＲ、Ｉｏｎｉｃ、Ｖｅｒｓａ、Ａｃｅ、Ｓｕｒｇｅ、Ｂｌａｚｅ）、Ｇａｒｍｉｎウェアラブルトラッキングデバイス（例えば、ｖｉｖｏｆｉｔ、ｖｉｖｏａｃｔｉｖｅ  ３、Ｆｏｒｅｒｕｎｎｅｒ  ６４５／６４５）、およびＡｎｄｒｏｉｄ  Ｗｅａｒ（商標）デバイスが挙げられる。例示的なウェアラブルコンピュータデバイス１１０は、２０１６年６月１５日に提出された「ＥＸＥＲＣＩＳＥＤ−ＢＡＳＥＤ  ＷＡＴＣＨ  ＦＡＣＥ  ＡＮＤ  ＣＯＭＰＬＩＣＡＴＩＯＮＳ」と題された米国特許出願公開第２０１７／００５３５４２号（その全体が参照により本明細書に組み込まれる）に記載されている。一実施形態では、図５Ａ〜Ｂに示されるように、ウェアラブルコンピュータデバイスは、スマートシェービングシステムのシェービングデータを取得、追跡、および報告するように構成されたアプリケーション１１１を含む。
【００５３】
ウェアラブルコンピュータデバイス１１０は、運動センシング技術で構成されている。一実施形態では、ウェアラブルコンピュータデバイスは、かみそり上の付属品のユーザの活動を検出するための１つ以上の活動センサを含む。活動センサは、加速度計、ジャイロスコープ、運動センサ、または他のセンサ（複数可）、および／またはそれらの組み合わせを含む、運動を検出するための１つ以上のタイプのセンサを含むことができる。示されていないが、他のセンサ（複数可）は、受動赤外線センサ、超音波センサ、マイクロ波センサ、断層撮影運動検出器、光センサ、タイマーなどのいずれかを含むことができる。
【００５４】
例えば、加速度計、方向センサ、およびジャイロスコープは、かみそり１のユーザが活動中であるか、剃毛していないか、または特定のジェスチャを実行しているかを判定するために使用できる活動データをさらに生成できる。例えば、センサデータを使用して、シェービングシステムがシェービングストローク、非シェービングバックストローク、ストローク圧力、ストローク速度、刃すすぎ時間、ストローク数、シェービングゾーンごとのストローク数などを決定できるようにすることができる。
【００５５】
ウェアラブルコンピュータデバイス１１０は、例えば、ユーザの身体活動の持続時間（例えば、シェービング時間、刃洗浄／すすぎ時間）または非活動、活動が検出されたまたは検出されなかった日の時間（複数可）等などの検出された身体活動の様々な属性に時間次元を追加するのに使用することができるタイマーを任意選択で含むことができる。
【００５６】
一実施形態では、アプリケーション１１１は、デバイスセンサがシェービングの繰り返される運動またはストロークを追跡するように構成されている。ユーザは、ウェアラブルコンピュータデバイス上でシェービングアプリケーション１１１を選択することができ、ウェアラブルコンピュータデバイスは、次に、シェービング中の手首の運動によってストロークおよび他の詳細を測定および追跡する。
【００５７】
一実施形態では、シェーバには、ＲＦＩＤタグ（図示せず）を供給することができる。ウェアラブルコンピュータデバイス１１０は、ＲＦＩＤタグがかみそり１で検出された場合にアプリケーションをアクティブ化するように構成することができる。
【００５８】
実施形態では、ウェアラブルコンピュータデバイス１１０によって検出されたデータは、例えばカメラ１１５を使用して、シェービングセッションの前および／または中に撮影されたユーザの画像と併せて分析することができる。データは、剃られるべきユーザの体の領域、例えば顔の画像および／またはマッピングと併せて分析することができる。例えば、シェービングが行われる前に、ユーザは、自分のスマートフォンまたはコンピュータユーザデバイス４０にアプリケーションをダウンロードすることができる。ユーザがシェービングを開始すると、ウェアラブルコンピュータデバイス１１０またはユーザデバイス４０上のアプリケーションは、シェービング前またはシェービング中にビデオの撮影またはアップロードを開始するためにカメラ１１５またはユーザデバイス４０のカメラをアクティブ化するようにユーザに促すことができる。ユーザが剃毛するとき、カメラ１５は、カメラが身体領域に対して異なる角度で動かされるとき、またはユーザがカメラに対して身体領域を動かすときに、写真またはビデオを撮る。
【００５９】
別の例として、一実施形態では、本明細書で説明するように、ウェアラブルコンピュータデバイス１１０は、１つ以上のプロセッサを含むことができるか、そうでなければ１つ以上のプロセッサに結合することができる。センサによってキャプチャされたデータは、メモリに格納し、プロセッサによって分析することができる。いくつかの実施形態では、ウェアラブルコンピュータデバイス上のセンサからのデータは、別個のユーザデバイス４０、スマートフォン、またはコンピュータに送信することができる。例示的な実施形態では、カメラ１１５またはセンサ２０からのデータは、受信データを分析して、ユーザのシェービング技術、ユーザによって取られた多数のシェービングストローク（またはシェービングストローク中のかみそり１が移動した距離またはかみそり１の速度）に関する情報、および／またはユーザがシェービングのパフォーマンスおよび快適さを最適化するために１つ以上の特殊なアイテムの恩恵を受けるかどうかをユーザに提供するように構成されたソフトウェアを備えたユーザデバイス４０に送信することができる。プロセッサおよび／またはメモリは、シェービングシステムの任意の構成要素、例えば、ウェアラブルコンピュータデバイス１１０自体、スマートフォンなどのユーザデバイス４０、またはコンピュータ上に配置することができ、またはシェービングシステムの構成要素は、格納されたまたは検出された任意のデータを本明細書で説明されるように分析のためにプロセッサおよび／または外部ネットワーク２００に送信することができる。
【００６０】
上記のように、システムは、ウェアラブルコンピュータデバイスのカメラ１１５またはセンサ２０から経時的に受信された入力に基づいて、かみそり１の使用法を決定するように構成することができる。例えば、ウェアラブルコンピュータデバイス１１０またはユーザデバイス４０のプロセッサは、かみそり付属品１０が移動した全体の距離、および／またはかみそり１が使用された多数のシェービングストロークを追跡するように構成することができる。例えば、シェービングアプリケーションを実行しているウェアラブルコンピュータデバイス１１０が、距離に基づいて、または行われたシェービングストロークの計算された数に基づいて使用閾値を超えたとプロセッサが判定した場合、プロセッサは、例えばウェアラブルコンピュータデバイス１１０またはユーザデバイス４０上でアラートを生成することができる。
【００６１】
センサ２０のそれぞれから受信した追跡データの違いを、ユーザが行ったシェービングストロークを分析するためにプロセッサが使用することができる。例えば、シェービングストロークの過程で、ウェアラブルコンピュータデバイス１１０のセンサによって測定された様々な運動が、プロセッサによって使用され、ユーザがシェービング中のかみそり１の前縁、後縁、または両側のうちの１つ以上に過度の力を加えていることを判定することができる。力の不均一な適用は、切り口、肌の炎症、および／または過度のシェービングストロークを引き起こす可能性がある。同様に、センサ２０は、ユーザのシェービングストロークが左右の運動の成分を含むことを検出することができる（例えば、かみそり１の１つ以上の刃に平行な方向への運動）。そのような左右の運動、または左右の運動の成分を含むシェービングストロークは、ユーザの肌の切り口および／または切り傷をもたらす可能性がある。したがって、そのような場合、プロセッサは、ウェアラブルコンピュータデバイス１１０またはユーザデバイス４０を介してユーザに通知または他のフィードバックを提供して、シェービングストロークを調整するか、さもなければかみそり１の運動方向を変更するように構成することができる。したがって、ウェアラブルコンピュータデバイス１１０またはユーザデバイス４０は、本明細書に説明された様々なフィードバックメカニズムを介して、そのような異常についてユーザに警告することができる。例えば、プロセッサ１６が、ウェアラブルコンピュータデバイス１１０内のセンサ位置が、バイアスを示すウェアラブルコンピュータデバイス１１０内の角度位置を登録することを示す場合、プロセッサは、ユーザのシェービングストロークにおける前縁または後縁に向けたバイアスをユーザに通知するように構成することができる。したがって、プロセッサは、様々なセンサのアクティブ化履歴およびカメラ１１５の画像を評価して、所与のユーザのシェービング技術で観察された肌／かみそりの接触挙動を判定することができる。
【００６２】
システムは、かみそり付属品のカメラ１１５またはセンサ２０からのデータを分析して、シェービングストロークの効率、ならびにかみそり付属品１０の測定値に関して上記と同様の力測定値を決定するように構成することができる。
【００６３】
様々なメカニズムを使用して、本明細書で説明されているような次に最適なシェービング技術をユーザに通知することができる。例えば、ユーザは、シェービングを開始する前に、コンピュータまたはスマートフォンまたは他のユーザデバイス４０と同期することができるウェアラブルコンピュータデバイス１１０上でアプリケーション１１１を開くことができる。ユーザがシェービングすると、シェービングセッションに関する情報が生成および分析され、分析結果がアプリケーションを介してユーザに表示することができる。例えば、顔の写真をアプリケーションに表示し、顔の領域をさらに剃る必要がある、または十分に剃ったことをユーザに示すことができる。チャート、テキスト、色、光、写真、またはその他の適切な視覚補助は、ユーザが剃る必要がある場所と剃る必要がない場所、特定の領域で残っている、または達成されたシェービングの割合、または、例えば、ユーザが速すぎる、遅すぎるシェービングストロークを使用しているかどうか、シェービングストローク中に使用している力が多すぎるか少なすぎるか、シェービングストローク中にユーザが次に最適な経路を使用しているかどうか、および／またはユーザのシェービングストロークのテンポが改善できるかどうかといった他の適切なフィードバックを示すことができる。いくつかの実施形態では、アプリケーションは、視覚的フィードバックの代わりに、またはそれに加えて、聴覚的または触覚的フィードバックを提供することができる。例えば、振動や音が、体のある領域が適切に剃られていることを示している可能性がある。いくつかの実施形態では、音声で、ユーザの顔のどの部分がひりひりしているのかについてユーザに指示することができる。
【００６４】
このようにして、ウェアラブルコンピュータデバイス１１０またはユーザデバイス４０は、シェービング技術およびかみそり１またはかみそりカートリッジの残りの耐用年数に関するリアルタイムのフィードバックをユーザに提供するように構成することができる。このガイダンスおよびフィードバックは、シェービングセッションをガイドして、ユーザのシェービングエクスペリエンスを向上させ、使用済みのシェービング機器を交換するのに役立つ。
【００６５】
一実施形態では、所与の身体領域におけるシェービングの適切性を判定することは、かみそり付属品１０の測定値に関して上記で説明したものと同様に、ウェアラブルコンピュータデバイス１１０またはカメラ１１５によって検出されない情報も考慮に入れることができる。この情報の一部またはすべては、以下でさらに説明するように、ユーザによって入力され、ウェアラブルコンピュータデバイス１１０、ユーザデバイス４０、またはカメラ１１５からのデータとともに評価することができる。
【００６６】
本明細書で記載されるように、本明細書に説明されるウェアラブルコンピュータデバイス１１０、ユーザデバイス４０、またはカメラ１１５によって収集されたデータは、本明細書に説明されるさらなる研究および分析のためにＩｏｔＴプラットフォーム２２２およびベンダープラットフォーム２２３に送信することができる。
【００６７】
図５Ｂは、本開示の別の実施形態による、ウェアラブルコンピュータデバイス１１０と外部通信インフラストラクチャ２００との間の様々な接続および通信経路を示している。図６に示す実施形態では、カメラ１１５（表示要素を含むことができる）などの撮像デバイスは、ウェアラブルコンピュータデバイス１１０とは別に提供され、ウェアラブルコンピュータデバイスとは完全に独立して使用することができる。撮像デバイスは、１つ以上のカメラまたはカメラタイプ、例えば、ＨＤカメラ、２Ｄカメラ、３Ｄカメラなどから選択されるカメラ１５を含むことができる。あるいは、図６に示されるように、カメラ１１５および／またはカメラを備えたユーザデバイス４０（例えば、スマートフォン）は、（ｉ）トランシーバ１７に無線で通信可能に接続するか、またはウェアラブルコンピュータデバイスにハードワイヤ接続することによって通信可能に接続することができる。図５Ｂに示される例示的な実施形態では、ウェアラブルコンピュータデバイス１１０、ユーザデバイス４０、および／またはカメラ１１５は、インターネットプロトコル（ＩＰ）対応デバイスとして構成することができる。
【００６８】
図６に示される例示的な実施形態の１つの通信経路では、ウェアラブルコンピュータデバイス１１０のセンサから出力される情報は、ウェアラブルコンピュータデバイス１１０（例えば、ユーザがバスルーム内でウェアラブルコンピュータデバイス１１０を装着しながらかみそり１を使用している間に）および／またはカメラ１１５からユーザデバイス４０に送信することができる。一例では、ユーザがウェアラブルコンピュータデバイス１１０に通信可能に接続されたカメラ１１５を使用して、（ｉ）特定の身体領域の肌表面が適切に剃られたかどうかを判定するために、および／またはおよび／または（ｉｉ）シェービングの間（シェービング前に３Ｄスキャンを実行して格納したことにより）ユーザをガイドするために、剃毛される身体領域（例えば、顔、脚等）の３Ｄスキャンを実行することができる。
【００６９】
ウェアラブルコンピュータデバイス１１０および／またはユーザデバイス４０は、１つ以上のソフトウェアアプリケーション１１１または「アプリ」を備え）、図６に示されるウェアラブルコンピュータデバイス１１０によって実行される機能の一部またはすべて、例えば、インターネットを介した情報の送信、データ分析、および／または取得した情報の保存を実行することができる。一実施形態では、ウェアラブルコンピュータデバイス１１０からユーザデバイス４０によって受信された情報は、ＩｏＴゲートウェイ２０２０、例えば、ＷｉＦｉルータにルーティングされて、その後、クラウドネットワーク２２１およびＩｏＴプラットフォーム２２２を介してベンダープラットフォーム２２３にルーティングすることができる。一実施形態では、情報は、ウェアラブルコンピュータデバイス１１０からＩｏＴゲートウェイ２２０に直接送信し、その後、クラウドネットワーク２０２１およびＩｏＴプラットフォーム２０２２を介してベンダープラットフォーム２２３にルーティングすることができる。モバイルデバイス２４０からルーティングされた情報に基づいて、ベンダープラットフォーム２２３および／またはＩｏＴプラットフォーム２２２は、適切なフィードバック情報、例えば、ユーザにとって最適なかみそりモデル、ユーザにとって最適なかみそりカートリッジモデル、および／またはカメラ１１５によって撮像されたユーザの肌表面領域が適切に剃られたどうかに関する情報（視覚的、音声的および／またはデータ）を提供することができる。ＩｏＴプラットフォーム２０２２は、図６のクラウドネットワーク２０２１とは別に示されているが、クラウドネットワーク２２１は、ＩｏＴプラットフォーム２２２を包含することができる。他の通信技術としては、セルラー、衛星、Ｂｌｕｅｔｏｏｔｈ、低電力ワイドエリアネットワーク（ＬＰＷＡＮ）、またはイーサネット経由でインターネットに直接接続することが含まれるが、これらの例に限定されない。利用できるデータ転送プロトコルとしては、ハイパーテキスト転送プロトコル（ＨＴＴＰ）、メッセージキューイングテレメトリトランスポート（ＭＱＴＴ）、制約付きアプリケーションプロトコル（ＣｏＡＰ）などが挙げられるが、これらの例に限定されない。
【００７０】
図６に示される例示的な実施形態の別の通信経路では、ウェアラブルコンピュータデバイス１１０からカメラ１１５に出力される情報は、ソフトウェアアプリケーション１１１で提供され、ウェアラブルコンピュータデバイス１１０および／または図６に関しても説明されるようなユーザデバイス４０によって実行される機能の一部またはすべて、例えば、インターネットを介した情報の送信、データ分析、および／または取得された情報の保存を実行することができる。ユーザの皮膚表面領域に関してカメラ１１５によってキャプチャされた画像情報とともにウェアラブルコンピュータデバイス１１０から受信したセンサ情報は、ＩｏＴゲートウェイ２２０、例えば、ＷｉＦｉルータにルーティングして、その後、クラウドネットワーク２０２１およびＩｏＴプラットフォーム２２２を介してカートリッジベンダープラットフォーム２２３にルーティングすることができる。ユーザの皮膚表面領域に関してカメラ１１５によってキャプチャされた画像情報とともにカメラ１１５によって受信された情報は、ＩｏＴゲートウェイ２２０、例えば、ＷｉＦｉルータにルーティングして、その後、クラウドネットワーク２０２１およびＩｏＴプラットフォーム２２２を介してベンダープラットフォーム２２３にルーティングすることができる。カメラ１１５からルーティングされた情報に基づいて、ベンダープラットフォーム２２３および／またはＩｏＴプラットフォーム２２２は、適切なフィードバック情報、例えば、ユーザにとって最適なかみそりモデル、ユーザにとって最適なかみそりカートリッジモデル、および／またはカメラ１１５によって撮像されたおよび／またはセンサ（複数可）２０によって追跡されたユーザの肌表面領域が適切に剃られたどうかに関する情報（視覚的、音声的および／またはデータ）を提供することができる。他の通信技術としては、セルラー、衛星、Ｂｌｕｅｔｏｏｔｈ、低電力ワイドエリアネットワーク（ＬＰＷＡＮ）、またはイーサネット経由でインターネットに直接接続することが含まれるが、これらの例に限定されない。
【００７１】
図５Ｂに示される例示的なシステムでは、情報および／または情報の処理は、ウェアラブルコンピュータデバイス１１０、カメラ１１５、ユーザデバイス２４０、ＩｏＴゲートウェイ２２０、クラウドネットワーク２２１、ＩｏＴプラットフォーム２２２、および／またはベンダープラットフォーム２２３のうちの２つ以上の間で共有することができる。例えば、（情報源に関係なく）情報の処理は、ウェアラブルコンピュータデバイス１１０、カメラ１１５、モバイルデバイス２４０、クラウドネットワーク２２１、ＩｏＴプラットフォーム２２２、および／またはベンダープラットフォーム２２３で実行することができる。さらに、情報（例えば、音声、視覚、および／またはデータ）の入力／出力は、カメラ１１５、ウェアラブルコンピュータデバイス１１０上もしくは中に任意選択で提供される双方向マイクロフォン／スピーカー、および／またはユーザデバイス４０を介して実施することができる。
【００７２】
図５Ｂに示される例示的なシステムにおける分散構成の例として、電気センサ（複数可）２０からのセンサデータによってキャプチャされた運動データは、カメラ１１５および／またはモバイルデバイス４０に送信することができ（例えば、ユーザがウェアラブルコンピュータデバイスを使用して剃っている間に）、ユーザの音声コマンドおよび／またはクエリは、ウェアラブルコンピュータデバイス１１０上または中に任意選択で提供される双方向マイクロフォン／スピーカーまたはモバイルデバイス４０のマイクロフォン／スピーカーを介して入力することができる。さらに、ベンダープラットフォーム２２３からの応答送信に含まれる情報は、腕時計１１０のマイクロフォン／スピーカー（例えば、音声用）を介して、ユーザデバイス４０（例えば、音声、視覚、および／またはテキストデータ用）を介して、および／またはウェアラブルコンピュータデバイス１１０、モバイルデバイス４０、またはカメラ１１５の表示画面（例えば、視覚および／またはテキストデータ用）を介して、出力することができる。
【００７３】
スマートシェービングアプリケーションを含む例示的なかみそり付属品１０またはウェアラブルコンピュータデバイス１１０は、図６のプロセスフロー６００に示される方法で使用することができる。当業者であれば、図６に示される方法の１つ以上のステップが省略されるか、または図６に示される順序から外れて実行され得ることを認識するであろう。第１に、ユーザは、シェービングアプリケーションをスマートフォン、コンピュータ、または他のユーザデバイス４０、またはブロック６００１のウェアラブルコンピュータデバイス１１０にダウンロードすることができる。ブロック６００２において、ユーザは、かみそり付属品１０またはシェービングアプリケーション１１１を含むウェアラブルコンピュータデバイス１１０を、スマートフォン、コンピュータ、または他のユーザデバイス４０上のシェービングアプリケーションと同期させることができる。次に、ブロック６００３において、ユーザは、ユーザプロファイルを完成させることができる。ユーザプロファイルの完成には、一連の質問やプロンプトへの回答を含めることができる。ユーザプロファイルの例示的な質問には、ユーザが有している毛のタイプ、ユーザが望む剃毛のレベル（例えば、ユーザが無精ひげを残したいかどうか、きれいに剃毛したいかどうか、または特定の領域に毛を残したいかどうか）、通常使用するクリームまたはジェルのタイプ、ユーザのシェービング履歴、ユーザの体の形、ユーザの体の毛の密度、ユーザの刃の使用履歴（例えば、それらがどれほど鋭いか新しいか）、ユーザが有しているまたは通常購入しているシェーバ１のタイプ、ユーザの肌のタイプ（例えば、普通、乾燥、または敏感）、ユーザの年齢（例えば、ユーザの肌の感度または毛の質に影響を与える可能性がある）、またはその他の適切な情報もしくは情報の組み合わせに関する質問を含めることができる。ユーザは、任意の適切な方法で情報を入力することができる。例えば、ユーザは、シェービングアプリケーションに情報を入力したり、カメラをアクティブ化してシェーバタイプのバーコードをスキャンしたりすることができる。ユーザは、アプリケーションに戻って、後日、例えば質問への回答が時間の経過とともに変化した場合に、回答を変更することができる。
【００７４】
ブロック６００５において、ユーザプロファイルが完成すると、ユーザは、シェービングを開始することができる。上で論じたように、剃毛される領域の画像またはセンサデータは、シェービングプロセス中にキャプチャすることができる。
【００７５】
ブロック６００６において、実施形態では、この方法はまた、本明細書で説明されるように、センサデータまたは画像データなどのシェービングデータを提供することを含むことができる。理解されるように、カメラ１５を含むかみそり付属品１０の実施形態では、画像データは、本明細書に説明されるように、シェービング中に提供することができる。他の実施形態では、例えばウェアラブルコンピュータデバイス１１０の実施形態では、ユーザは、シェービング前に、スマートフォン、コンピュータ、外部カメラのうちの１つ以上を使用して、既存の写真またはビデオをアップロードし、および／または新しい写真および／またはビデオを生成およびアップロードすることができる。
【００７６】
ブロック６００７において、ユーザが剃毛するとき、ユーザ自身は、かみそり付属品１０、ウェアラブルコンピュータデバイス１１０、および／またはユーザデバイス４０上のアプリケーションからフィードバックを受信して、所与の領域におけるシェービングの適切性を判定することができる。フィードバックに基づいて、ユーザは、体の特定の領域でシェービングを続行または中止することができる。ユーザは、フィードバックが身体領域のすべての領域で適切なシェービングが達成されたことを示すまで、シェービングを続けることができる。そのとき、ブロック６００８において、シェービングフィードバックがシェービングが完了したことを示すとき、ユーザはシェービングを停止することができる。
【００７７】
図７は、例えば、シェービングおよび／またはシェービングかみそりの選択／交換に関連して、ユーザを支援するためにカメラを含むかみそり付属品を使用する例示的な方法の論理フロー７００を示している。開始ブロックで、ユーザは、かみそり付属品をアクティブ化し、例えば、ユーザデバイス４０上またはかみそり付属品１０上のシェービングアプリケーションでアクティブ化デバイスを使用することによって、シェービングを開始する。ブロック７００１において、ユーザの皮膚表面およびユーザの体の輪郭のうちの少なくとも１つの画像が、カメラ（例えば、かみそり付属品１０のカメラ１５または別個のカメラ１１５またはモバイルデバイス４０のカメラ）によって記録および／またはスキャンされる。ブロック７００２において、カメラに通信可能に接続された制御ユニット（例えば、制御ユニット１６、カメラ１１５の制御ユニット、ユーザデバイス４０の制御ユニット、ウェアラブルコンピュータデバイス１１０の制御ユニット、ベンダープラットフォーム２２３の制御ユニット、および／またはＩｏＴプラットフォーム２２２の制御ユニット）は、カメラによって記録された画像の画像データを処理して、ユーザの皮膚表面およびユーザの体の輪郭（例えば、あごの領域、首の領域、脚の領域等）のうちの少なくとも１つの少なくとも１つの身体的特徴を判定する。一実施形態では、センサ２０も含むかみそり付属品はまた、センサデータを制御ユニットに送信することができる。ブロック７００３において、フィードバック情報は、（例えば、ベンダープラットフォーム２２３および／またはベンダープラットフォーム２２３の制御ユニットなどのフィードバック要素の助けを借りて）少なくとも１つの身体的特徴に基づく、（ｉ）少なくとも１つの身体的特徴に適したシェービングカートリッジ、（ｉｉ）少なくとも１つの身体的特徴に適したかみそり、および（ｉｉｉ）カメラによって記録されたユーザの皮膚表面およびユーザの体の輪郭のうちの少なくとも１つに残っている毛の量、のうちの少なくとも１つに関するフィードバック情報を提供する。フィードバック情報は、フィードバック要素からインターネットおよびインターネットゲートウェイ２２０を介してユーザデバイス４０、カメラ１１５、またはウェアラブルコンピュータデバイス１１０に送信することができる。ブロック７００４において、出力ユニット（例えば、カメラ１１５のディスプレイ、モバイルデバイス４０のカメラのディスプレイ、モバイルデバイス４０のマイクロフォン／スピーカー、ウェアラブルコンピュータデバイス１１０、および／またはかみそり付属品１０の任意選択のマイクロフォン／スピーカー）は、フィードバック情報をユーザに出力する。図７に示され上記で説明された論理フロー７００は、情報および／または情報の処理は、かみそり付属品１０、ウェアラブルコンピュータデバイス１１０、カメラ１１５、モバイルデバイス４０、ＩｏＴゲートウェイ２０２０、クラウドネットワーク２２１、ＩｏＴプラットフォーム２２２、および／またはカートリッジベンダープラットフォーム２０２３のうちの２つ以上の間で共有することができる。
【００７８】
図８は、かみそり付属品１０のカメラを使用してユーザを支援する別の例示的な方法の論理フロー８００を示している。開始ブロックで、ユーザは、かみそり付属品１０をアクティブ化し、例えば、ユーザデバイス４０上またはかみそり付属品１０上のシェービングアプリケーションでアクティブ化デバイスを使用することによって、シェービングを開始する。ブロック８００１において、ユーザの皮膚表面およびユーザの体の輪郭のうちの少なくとも１つの画像が、かみそり付属品１０のカメラ１５によって記録および／またはスキャンされる。ブロック８００２において、カメラによって記録された画像の画像データは、インターネットに接続されたインターネットゲートウェイを介して、インターネットに接続されたベンダープラットフォーム（例えば、ベンダープラットフォーム２０２３）に送信される。ブロック８００３において、ベンダープラットフォームに通信可能に接続された制御ユニット（例えば、制御ユニット１６、モバイルデバイス４０の制御ユニット、ベンダープラットフォーム２２３の制御ユニット、および／またはＩｏＴプラットフォーム２２２の制御ユニット）は、カメラ１５によって記録された画像の画像データを処理して、ユーザの皮膚表面およびユーザの体の輪郭のうちの少なくとも１つの少なくとも１つの身体的特徴を判定する。一実施形態では、センサ２０も含むかみそり付属品はまた、センサデータを制御ユニットに送信することができる。ブロック８００４において、フィードバック情報は、（例えば、ベンダープラットフォーム２２３および／またはカートリッジベンダープラットフォーム２２３の制御ユニットなどのフィードバック要素の助けを借りて）、少なくとも１つの身体的特徴に基づく、（ｉ）少なくとも１つの身体的特徴に適したシェービングカートリッジ、（ｉｉ）少なくとも１つの身体的特徴に適したかみそり、および（ｉｉｉ）かみそり付属品１０カメラ１５によって記録されたユーザの皮膚表面およびユーザの体の輪郭のうちの少なくとも１つに残っている毛の量、のうちの少なくとも１つに関するフィードバック情報を提供する。ブロック８００５において、フィードバック情報は、インターネットに接続されたインターネットゲートウェイを介して、ユーザデバイス４０および／またはかみそり付属品１０に送信される。ブロック８００６において、ユーザデバイス４０の出力ユニット（例えば、モバイルデバイス４０のディスプレイ）および／またはかみそり付属品１０（例えば、かみそり付属品１０の任意選択のマイクロフォン／スピーカー）は、フィードバック情報をユーザに送信する。図８に示され上記に説明された論理フロー８００は、情報および／または情報の処理は、カメラ１５を有するかみそり付属品１０、ユーザデバイス４０、ＩｏＴゲートウェイ２２０、クラウドネットワーク２２１、ＩｏＴプラットフォーム２２２、および／またはカートリッジベンダープラットフォーム２２３のうちの２つ以上の間で共有することができる。
【００７９】
図９は、例えば、シェービングおよび／またはシェービングかみそりの選択／交換に関連して、ユーザを支援するためにウェアラブルコンピュータ１１０を使用する例示的な方法の論理フロー９００を示している。ブロック９００１において、ユーザは、ウェアラブルコンピュータデバイス上でシェービングアプリケーションを開始し、シェービングを開始する。ブロック９００２において、ウェアラブルコンピュータデバイスは、ユーザが剃るときのユーザのシェービング運動を追跡し１１０、記録する。ブロック９００３において、シェービング運動データは、インターネットに接続されたインターネットゲートウェイを介して、インターネットに接続されたベンダープラットフォーム（例えば、ベンダープラットフォーム２２３）に送信される。ブロック９００４において、ベンダープラットフォームに通信可能に接続された制御ユニット（ウェアラブルコンピュータデバイス１１０の制御ユニット、カメラ１１５の制御ユニット、モバイルデバイス４０の制御ユニット、ベンダープラットフォーム２２３の制御ユニット、および／またはＩｏＴプラットフォームの制御ユニット２２２）は、ウェアラブルコンピュータデバイスによって記録されたシェービング運動データを処理して、少なくとも１つのシェービング運動特性を判定する。ブロック９００５において、フィードバック情報は、（例えば、ベンダープラットフォーム２２３および／またはベンダープラットフォーム２２３の制御ユニットなどのフィードバック要素の助けを借りて）少なくとも１つのシェービング運動特性に基づく、（ｉ）少なくとも１つの運動特性に適したシェービングカートリッジ、（ｉｉ）少なくとも１つの運動特性に適したシェービングかみそり、および（ｉｉｉ）最適なシェービング通知、の少なくとも１つに関するフィードバック情報を提供する。ブロック９００５において、フィードバック情報は、インターネットに接続されたインターネットゲートウェイを介して、ウェアラブルコンピュータデバイス１１０および／またはユーザデバイス４０に送信される。ブロック９００６において、ウェアラブルコンピュータデバイスまたはモバイルデバイス４０の出力ユニット、例えば、ディスプレイ、触覚インターフェース、またはマイクロフォン／スピーカーは、フィードバック情報をユーザに出力する。図９に示され上記で説明された論理フロー９００は、情報および／または情報の処理は、ウェアラブルコンピュータデバイス１１０、モバイルデバイス４０、ＩｏＴゲートウェイ２２０、クラウドネットワーク２２１、ＩｏＴプラットフォーム２２２、および／またはカートリッジベンダープラットフォーム２２３のうちの２つ以上の間で共有することができる。
【００８０】
図６〜９および１４〜１５に示される例示的な技法６００、７００、８００、９００、１３００、および１４００の一部は、部分的および／または全体的に修正および／または組み合わせることができることに留意されたい。例えば、一実施形態では、論理フロー７００および／または８００に関連して説明されるようにカメラによって記録および／またはスキャンされた画像データは、論理フロー９００に関して説明されるように運動追跡と組み合わせて、身体的特徴（複数可）とフィードバック情報の運動特性（複数可）との両方を判定することができる。本明細書に説明されるように、かみそり付属品は、シェービング運動の持続時間を追跡するために１つ以上のセンサを備えることができる。したがって、かみそり付属品１０内のウェアラブルコンピュータデバイス１１０の追跡および／またはセンサは、ユーザが剃毛するときのユーザのシェービング運動を追跡および記録することができる。
【００８１】
図１１は、１つ以上の実施形態による、論理フロー７００、論理フロー８００、および論理フロー９００、記憶媒体１１００、コントローラ１６、ウェアラブルコンピュータデバイス１１０、ユーザデバイス４０、および１つ以上を実装することができる通信デバイス１５００、かみそり付属品１０の回路の１つ以上の機能の実施形態を示している。例示的な実施形態では、通信デバイス１５００は、例えば、論理フロー７００、論理フロー８００、および論理フロー９００のうちの１つ以上について説明された動作を実行するための物理回路を含むことができる論理回路１５２８を備えることができる。さらに、通信デバイス１５００は、無線インターフェース１５１０、ベースバンド回路１５２０、およびコンピューティングプラットフォーム１５３０を含むことができる。しかしながら、実施形態は、この例示的な構成に限定されない。
【００８２】
通信デバイス１５００は、（ｉ）単一のコンピューティングエンティティで、例えば単一のデバイス、または（ｉｉ）分散方式で、論理フロー７００、論理フロー８００、および論理フロー９００、記憶媒体１１００、コントローラ１５、ウェアラブルコンピュータデバイス１１０、ユーザデバイス４０、かみそり付属品１１０の回路の１つ以上の機能、および論理回路１５２８のうちの１つ以上の構造および／または動作のいくつかまたはすべてを実装することができる。後者の場合、通信デバイス１５００は、論理フロー７００、論理フロー８００、および論理フロー９００、記憶媒体１１００、コントローラ１５、ウェアラブルコンピュータデバイス１１０、ユーザデバイス４０のうちの１つ以上の構造および／または運動の一部、かみそり付属品１１０の回路および論理回路１５２８の１つ以上の機能を、分散システムアーキテクチャ、例えば、マスタースレーブアーキテクチャ、クライアントサーバアーキテクチャ、ピアツーピアアーキテクチャ、共有データベースアーキテクチャなどを使用して複数のコンピューティングプラットフォームおよび／またはエンティティにわたって、分散することができる。実施形態は、この文脈に限定されない。
【００８３】
記憶媒体１１１０は、とりわけ、アプリケーション１１１および／または他のデータを記憶するために通信デバイス１１００によって利用され得る１つ以上のデータ記憶をさらに含む。アプリケーション１１１は、論理フロー７００、論理フロー８００、および論理フロー９００に関連して説明されたものと同様のプロセスまたはプロセスの一部を使用して、そのアクションの少なくともいくつかを実行することができる。
【００８４】
例示的な実施形態では、無線インターフェース１５１０は、ＣＣＫ（相補コードキーイング）、ＯＦＤＭ（直交周波数分割多重方式）、および／またはＳＣ−ＦＤＭＡ（シングルキャリア周波数分割多元接続）シンボルなどのシングルキャリアまたはマルチキャリア変調信号を送信および／または受信するように適合された１つ以上の構成要素（複数可）を含むことができる。無線インターフェース１５１０は、例えば、受信機１５１１、周波数シンセサイザ１５１４、送信機１５１６、および１つ以上のアンテナ１５１８を含むことができる。しかしながら、実施形態は、これらの例に限定されない。
【００８５】
受信信号および／または送信信号を処理するために無線インターフェース１５１０と通信するベースバンド回路１５２０は、アナログ−デジタル変換器、デジタル−アナログ変換器、および受信／送信信号の物理リンク層処理のためのベースバンドまたは物理層（ＰＨＹ）処理回路を含むユニット１５２２を含むことができる。ベースバンド回路１５２０はまた、例えば、インターフェース１５３４を介してコンピューティングプラットフォーム１５３０と通信するためのメモリコントローラ１５３２を含むことができる。
【００８６】
デバイス１５００にコンピューティング機能を提供することができるコンピューティングプラットフォーム１５３０は、プロセッサ１５４０および他のプラットフォームコンポーネント１７５０、例えば、プロセッサ、センサメモリユニット、チップセット、コントローラ、周辺機器、インターフェース、入力／出力（Ｉ／Ｏ）コンポーネント、電源などを含むことができる。
【００８７】
デバイス１５００は、例えば、モバイルデバイス、スマートフォン、固定デバイス、マシンツーマシンデバイス、パーソナルデジタルアシスタント（ＰＤＡ）、ウェアラブルコンピュータデバイス、モバイルコンピューティングデバイス、ユーザ機器、コンピュータ、ネットワークアプライアンス、Ｗｅｂアプライアンス、コンシューマエレクトロニクス、プログラム可能なコンシューマエレクトロニクス、ゲームデバイス、テレビ、デジタルテレビ、セットトップボックス、ワイヤレスアクセスポイント、ベースステーション、サブスクライバステーション、モバイルサブスクライバセンター、無線ネットワークコントローラ、ルータ、ハブ、ゲートウェイなどとすることかできる。これらの例は限定的なものではない。
【００８８】
様々な実施形態のうちの少なくとも１つでは、デバイス１５００は、ベンダープラットフォームまたはサードパーティおよび／または外部コンテンツプロバイダサービスを、プラットフォーム（複数可）によって提供されるＡＰＩまたは他の通信インターフェースを使用して統合および／または通信するように構成することができる。例えば、ベンダープラットフォーム２２３のプロバイダサービスは、ベンダープラットフォーム２２３がプラットフォームによって提供されるフィードバックに関連付けることができる様々なイベントを決定できるようにするＨＴＴＰ／ＲＥＳＴベースのインターフェースを提供することができる。
【００８９】
図１２は、プラットフォーム１２００として構成された例示的なシステム実施形態であり、これは、例えば、プロセッサ９０２、チップセット９０４、Ｉ／Ｏ（入力／出力）デバイス９０６、ＤＲＡＭ（ダイナミックＲＡＭ）などのＲＡＭ（ランダムアクセスメモリ）９０８、およびＲＯＭ（読み取り専用メモリ）９１０、ワイヤレス通信チップ９１６、グラフィックスデバイス９１８、およびディスプレイ９２０、ならびに他のプラットフォームコンポーネント９１４（例えば、冷却システム、ヒートシンク、ベント、など）を含むことができ、これらは、バス３１２およびチップセット９０４を介して互いに結合される。この例は限定的なものではない。
【００９０】
プラットフォーム１２００のグラフィカルユーザインターフェースは、様々な実施形態のうちの少なくとも１つに対して生成することができる。いくつかの実施形態では、ユーザインターフェースは、Ｗｅｂページ、モバイルアプリケーション、電子メール、ＰＤＦドキュメント、テキストメッセージなどを使用して生成することができる。様々な実施形態のうちの少なくとも１つでは、ベンダープラットフォーム、ユーザデバイス、カメラ、およびウェアラブルコンピュータなどは、ユーザインターフェースを生成するためのプロセスおよび／またはＡＰＩを含むことができる。
【００９１】
方法１３００が図１３に示されており、これは、かみそり付属品１０内のプロセッサ１６によって実行されるように構成された様々なファームウェアプロトコルを示している。図１３は、かみそり付属品のファームウェアプロトコルに関して説明されているが、同様のプロトコルを、ウェアラブルコンピュータデバイス１１０上で実行されるアプリケーション１１１のために配置することができる。方法１３００は、かみそり付属品１０が電力を節約するように構成された「スリープモード」にあるとき、ブロック８０２で開始することができる。方法１３００は、ブロック８０４に進むことができ、プロセッサ１６は、かみそり付属品１０が使用のためにアクティブ化されたかどうか、例えば、入力デバイスが第１の閾値期間、例えば２秒より長く押し下げられているかどうか、またはカメラの電源が入っているかどうかを判定することができる。プロセッサ１６がデバイスがオンであると判定した場合、ブロック８０５で、バッテリ１３への接続またはバッテリ１３の電力レベルを判定することができる。バッテリ１３の電力レベルが比較的低いと判定された場合（ブロック８０６）、または完全に電源が切られたと判定された場合、ブロック８０８において、赤色ＬＥＤまたは他の低バッテリ表示がアクティブ化され、プロセッサ１６は、ブロック８０２においてスリープモードに移行することができる。いくつかの例では、プロセッサ１６が、バッテリ１３が、例えば、ワイヤレストランシーバ１７を介して少なくとも１０分間のユーザデバイス４０の接続を提供できないと判定した場合、バッテリ１３は低電力レベルを有すると定義することができる。
【００９２】
しかしながら、ブロック８０５において、プロセッサ１６が、バッテリ１３が例えば、シェービングセッションに進むのに十分な電力レベルを有すると判定した場合（ブロック８１０）、ブロック８１２において、緑色のＬＥＤ、または十分なバッテリレベルを示す他の表示がアクティブ化される。
【００９３】
プロセッサ１６が、バッテリ１３がシェービングセッションに進むのに十分な電力を有すると判定した場合（ブロック８１２）、方法１３００は、図１３のケース１およびケース２として識別される例など、多数の例示的な潜在的経路のうちのいずれか１つに進むことができる。
【００９４】
ケース１（ブロック８１４）は、例えば５秒を超える延長された入力の間、デバイスがオンにされた（例えば、比較的長いセンサ入力または画像の運動）ときに起こることができる。比較的長い入力は、例えば、ユーザが最初に長いシェービングストロークを介してシェービングを開始したとき、またはユーザが入力デバイスを、第１の閾値期間よりも長い第２の閾値期間を超えてアクティブ化したときに（「オン」）起こることができる。第２の閾値期間は、例えば５秒とすることができるか、または別の適切な期間とすることができる。第２の閾値期間の代わりに、プロセッサ１６は、例えば、入力デバイスの複数の迅速かつ連続的なアクティブ化など、ブロック８１４で異なるコマンドに応答することができる。プロセッサ１６がブロック８１４で肯定的な判定を行った場合、ブロック８１６において、ワイヤレス通信モジュール１７（例えば、Ｂｌｕｅｔｏｏｔｈ低エネルギー送信機）をアクティブ化することができ、ブロック８１８で、第１の青色ＬＥＤ表示をアクティブ化して、そのワイヤレス通信モジュール１７が「検出可能」モードであることを示すことができる。ブロック８２０において、ワイヤレス通信モジュール１７は、例えば、ユーザデバイス４０内のＢｌｕｅｔｏｏｔｈ低エネルギー受信機などの互換性のある受信機を検索することができる。検索は、例えば、１秒に１回の速度、またはその他の適切な速度で実行することができる。ブロック８２２において互換性のあるデバイスが見つかった場合、ブロック８２４においてかみそり付属品１０と互換性のあるデバイスとが互いにペアリングされる。ブロック８２６で第２の青色ＬＥＤ表示（例えば、複数の点滅するライト）をアクティブ化して、ペアリングが成功したことを示すことができる。次に、ブロック８２８ａにおいて、プロセッサ１６は、ユーザデバイス４０上で実行されるアプリケーションを介して提供される命令に従うことができる。しかしながら、ブロック８２２において互換性のあるデバイスが見つからない場合、ブロック８３０において、適切な回数、例えば、互換性のあるデバイスを見つけるために所定の期間内に３０回の試行を行うことができる。規定された回数の試行の後、互換性のあるデバイスが見つからない場合、ブロック８０２において、プロセッサ１６はスリープモードに移行することができる。
【００９５】
方法１４００が図１４に示されており、これは、かみそり付属品１０のアプリケーションまたはウェアラブルコンピュータデバイス１１０のアプリケーション１１１のためにプロセッサ１５００によって実行されるように構成された様々なソフトウェアプロトコルを示している。方法１４００は、例えば、スマートフォン、スマートデバイス、またはコンピュータ、または他のユーザデバイス４０にインストールされたアプリケーションを開始することができるブロック９０２において開始することができる。ブロック９０４において、アプリケーションは、デバイス上のＢｌｕｅｔｏｏｔｈまたは別のワイヤレスプロトコルをオンにするか、またはデバイスを選択するようにユーザに促すことができる。ブロック９０８において、デバイス４０とかみそり付属品１０またはウェアラブルコンピュータデバイス１１０との間の接続を行うことができる。ブロック９０８から、方法は、電池情報をアプリケーションに表示することができるブロック９１０、および／またはメニューをユーザに提示することができるブロック９１２に進むことができる。図１４に示されるように、例示的なメニューは、（ａ）「フラッシュメモリからデータを取得する」、（ｂ）「リアルタイムデータ（ストローク）を取得する」、（ｃ）「アプリを終了する」、および／または（ｄ）「フラッシュメモリを削除する」を含むことができる。ブロック９１２において、ユーザが「フラッシュメモリからデータを取得する」を選択した場合、方法は、ブロック９１４に進むことができ、そこで、プロセッサはかみそり付属品１０のメモリを読み取ることができ、ブロック９１６において、格納されたデータのファイル（例えば、ｃｓｖファイル）のエクスポートを開始することができる。方法１４００は、ブロック９１８に進むことができ、そこで、ユーザに、フラッシュメモリを削除するかどうかを選択するよう促すことができる。ブロック９１８において、ユーザが「いいえ」を選択した場合、ブロック９２０において、方法１４００は、ブロック９２２に進み、メニューであるブロック９１２に戻ることができる。しかしながら、ブロック９１８において、ユーザが「はい」を選択した場合、ブロック９２４において、方法１４００は、ブロック９２６に進んで、メモリ７２６を消去することができる。次に、方法９００は、ブロック９２６から「終了」であるブロック９２２に進むことによって終了することができる。
【００９６】
ブロック９１２において、ユーザが「リアルタイムデータ（ストローク）を取得する」を選択した場合、方法１４００は、ブロック９２８に進むことができ、そこで、例えば、行われたシェービングストロークの数および長さを含むリアルタイムストロークデータを収集して、スマートフォン、スマートデバイス、コンピュータ、または他のユーザデバイス４０の画面を介してユーザに表示することができる。次に、方法１４００は、ブロック９２８から「終了」であるブロック９２２に進むことによって終了することができる。
【００９７】
ブロック９１２において、ユーザが「アプリを終了する」を選択した場合、方法１４００は、ブロック９３０に進んで、このアクションの確認を要求することができる。ユーザがブロック９３２において「Ｎｏ」を選択した場合、方法１４００は、「終了」であるブロック９２２に進むことによって終了することができる。ユーザがブロック９３４においてアプリケーションを終了する必要があることを確認した場合、かみそり付属品１０との接続、例えば、Ｂｌｕｅｔｏｏｔｈ接続を、ブロック９３６において切断することができ、アプリケーションを、ブロック９３８において閉じることができる。ブロック９１２において、ユーザが「フラッシュメモリを削除する」を選択した場合、方法１４００は、上記のブロック９１８に進むことができる。ブロック９２２に進むことによって方法９００が終了する各インスタンスにおいて、方法１４００は、ブロック９１２に関連して上記のメニューにユーザを戻すことができる。
【００９８】
上で詳述したように、本開示の実施形態は、画像データを提供するためのカメラ１５、および任意選択で、かみそり付属品１０に関連する１つ以上のセンサを説明する。本開示の実施形態はまた、ウェアラブルコンピュータデバイス１１０に関連するアプリケーション１１１および１つ以上のセンサを説明する。かみそり付属品１０またはウェアラブルコンピュータデバイス１１０は、例えば、かみそり１で行われたストロークの数、シェービングセッションの長さ、剃られた体の領域、シェービングストロークの持続時間、および／または刃に適用された力、およびその結果としてユーザが剃った肌に関するデータを取得するように構成される。１つ以上のプロセッサ（複数可）１５００は、（適切なアルゴリズムを介して）画像またはセンサに関連するデータ、ならびに期間に関連するセンサデータまたは画像データを分析して、シェービングセッションの長さを判定するように構成することができる。いくつかの実施形態では、かみそり付属品１０またはウェアラブルコンピュータデバイス１１０から得られたデータから判定された情報は、例えば、スマートフォン、スマートデバイス、コンピュータ、および／または他のユーザデバイス４０上の画面を介してユーザに表示することができる。データはまた、適切なサードパーティ、例えば、シェーバまたはそのコンポーネントの製造業者に送信することができる。
【００９９】
シェービングストロークの数とストローク期間を履歴データと比較することによる、剃られた身体の領域。例えば、腋毛のシェービングセッションは、一般に、顔のシェービングセッションに一般的に関連するシェービングストロークの２０％を構成することができる。
【０１００】
本明細書に記載の技術は例示的なものであり、本開示に対する特定の制限を意味するものとして解釈されるべきではない。当業者であれば、様々な代替、組み合わせ、および修正を考案できることを理解されたい。例えば、ここで説明するプロセスに関連するステップは、ステップ自体によって別段の指定または指示がない限り、任意の順序で実行することができる。本開示は、添付の特許請求の範囲内にあるそのようなすべての代替案、修正、および差異を包含することを意図している。
【０１０１】
フローチャート図の各ブロック、およびフローチャート図中のブロックの組み合わせは、コンピュータプログラム命令によって実装できることが理解されよう。これらのプログラム命令は、プロセッサ上で実行される命令がフローチャートブロックまたは複数のブロックで指定されたアクションを実装するための手段を作成するように、マシンを生成するためにプロセッサに提供することができる。コンピュータプログラム命令は、プロセッサによって実行されて、一連の操作ステップがプロセッサによって実行され、コンピュータで実装されるプロセスを生成し、プロセッサ上で実行される命令が、フローチャートブロックまたは複数のブロック内で指定されたアクションを実装するためのステップを提供するようにすることができる。コンピュータプログラム命令はまた、フローチャートのブロック内に示される操作ステップの少なくともいくつかを並行して実行させることができる。さらに、いくつかのステップは、マルチプロセッサコンピュータシステムまたは複数のコンピュータシステムのグループでさえ発生する可能性があるように、複数のプロセッサにわたって実行することもできる。さらに、フローチャート図の１つ以上のブロックまたはブロックの組み合わせは、他のブロックまたはブロックの組み合わせと同時に、または本発明の範囲または精神から逸脱することなく、図示とは異なる順序でさえも実行することができる。
【０１０２】
したがって、フローチャート図のブロックは、指定されたアクションを実行するための手段の組み合わせ、指定されたアクションを実行するためのステップの組み合わせ、および指定されたアクションを実行するためのプログラム命令手段の組み合わせをサポートする。フローチャート図の各ブロック、およびフローチャート図のブロックの組み合わせは、指定されたアクションまたはステップを実行する専用ハードウェアベースのシステム、または専用ハードウェアとコンピュータ命令の組み合わせによって実装できることも理解されよう。前述の例は、限定的および／または網羅的であると解釈されるべきではなく、むしろ、様々な実施形態のうちの少なくとも１つの実装を示すための例示的な使用例として解釈されるべきである。
【０１０３】
コンピュータ可読記憶媒体または機械可読記憶媒体のいくつかの例としては、電子データを記憶することができる有形媒体、例えば、揮発性メモリまたは不揮発性メモリ、取り外し可能または取り外し不可能なメモリ、消去可能または消去不可能なメモリ、書き込み可能または再書き込み可能なメモリなどが挙げられる。コンピュータ実行可能命令のいくつかの例としては、適切なタイプのコード、例えば、ソースコード、コンパイルされたコード、インタプリタコード、実行可能コード、静的コード、動的コード、オブジェクト指向コード、ビジュアルコードなどが挙げられる。この例は、このコンテキストに限定されるものではない。
【０１０４】
「含む（ｃｏｍｐｒｉｓｅ）」または「含む（ｃｏｍｐｒｉｓｉｎｇ）」という用語は、記載された特徴、整数、ステップまたは構成要素の存在を指定するものとして解釈されるべきであるが、１つ以上の他の特徴、整数、ステップまたは構成要素またはそれらのグループの存在を排除するものではない。「ａ」および「ａｎ」という用語は不定冠詞であり、したがって、複数の冠詞を有する実施形態を排除するものではない。「結合された」、「接続された」および「リンクされた」という用語は、本開示において交換可能に使用され、実質的に同じ意味を有する。
【０１０５】
いくつかの実施形態は、それらの派生物とともに「一実施形態」または「実施形態」という表現を使用して説明され得る。これらの用語は、実施形態に関連して説明される特定の特徴、構造、または特性が少なくとも１つの実施形態に含まれることを意味する。本明細書の様々な場所での「実施形態」という句の出現は、必ずしもすべてが同じ実施形態を指すとは限らない。
【図１】
2021525115.tif 000003
【図２】
2021525115.tif 000004
【図３Ａ】
2021525115.tif 000005
【図３Ｂ】
2021525115.tif 000006
【図３Ｃ】
2021525115.tif 000007
【図４】
2021525115.tif 000008
【図５Ａ】
2021525115.tif 000009
【図５Ｂ】
2021525115.tif 000010
【図６】
2021525115.tif 000011
【図７】
2021525115.tif 000012
【図８】
2021525115.tif 000013
【図９】
2021525115.tif 000014
【図１０】
2021525115.tif 000015
【図１１】
2021525115.tif 000016
【図１２】
2021525115.tif 000017
【図１３】
2021525115.tif 000018
【図１４】
2021525115.tif 000019
【国際調査報告】
2021525115.tif 000020
2021525115.tif 000021
2021525115.tif 000022